(57)【要約】【課題】液晶表示装置のソースドライバーでネガティブ電源電圧がポジティブ電源電圧に対称的であるか、または非対称的な場合上位ガンマ電圧範囲と同一に下位ガンマ電圧範囲を設定する。【解決手段】ソースドライバーでポジティブ電源電圧とネガティブ電源電圧が非対称的または対称的な関係になることに対応して、上位ガンマ電圧範囲と下位ガンマ電圧範囲の境界領域に位置したガンマバッファーにポジティブ電源電圧と接地電圧に動作するガンマバッファーと、接地電圧とネガティブ電源電圧に動作するガンマバッファーを具備して選択的に使用する。また、ソースドライバーでポジティブ電源電圧とネガティブ電源電圧が非対称的または対称的な関係になることに対応して、上位ガンマ電圧範囲と下位ガンマ電圧範囲の境界領域に位置したガンマバッファーにとってポジティブ電源電圧-接地電圧に動作するか、または接地電圧-ネガティブ電源電圧に動作する。【選択図】図４
2011150341.tif 000002
【特許請求の範囲】
【請求項１】
上位電源電圧と下位電源電圧との間の差電圧を直列抵抗に分圧して上位基準電圧(ＶＨｒｅｆ０〜ＶＨｒｅｆ５)と下位基準電圧(ＶＬｒｅｆ０〜ＶＬｒｅｆ５)を発生する基準電圧発生部と、
前記上位基準電圧(ＶＨｒｅｆ０〜ＶＨｒｅｆ５)を安定化させて出力する上位ガンマバッファー(ＧＢ＿ＶＨ１〜ＧＢ＿ＶＨ６)と前記下位基準電圧(ＶＬｒｅｆ０〜ＶＬｒｅｆ５)を安定化させて出力する下位ガンマバッファー(ＧＢ＿ＶＬ１〜ＧＢ＿ＶＬ６)を含むソースドライバーのガンマ電圧出力回路であって、
前記下位ガンマバッファー(ＧＢ＿ＶＬ１〜ＧＢ＿ＶＬ６)はポジティブ電圧領域の第１下位基準電圧(ＶＬｒｅｆ０)の入力を受けてポジティブ電圧領域の第１ガンマ電圧に出力するためにポジティブ電源電圧(ＶＳＰ)ないし接地電圧(ＧＮＤ)領域でレールアンプに動作する第１演算増幅器を具備した第１ガンマバッファーを含むことを特徴とするソースドライバーのガンマ電圧出力回路。
【請求項２】
下位ガンマバッファー(ＧＢ＿ＶＬ１)はポジティブ電圧領域の範囲がネガティブ電圧領域の範囲より広い時、前記第１演算増幅器を選択するために、その第１演算増幅器の入出力端子にそれぞれ接続された第１スイッチＳＷ４１及び第２スイッチＳＷ４２を含んで構成されたことを特徴とする請求項１に記載のソースドライバーのガンマ電圧出力回路。
【請求項３】
前記上位ガンマバッファー(ＧＢ＿ＶＨ１〜ＧＢ＿ＶＨ６)は、ネガティブ電圧領域の第1上位基準電圧（ＶＨｒｅｆ５）の入力を受けてネガティブ電圧領域の第２ガンマバッファーに出力するために接地電圧(ＧＮＤ)ないしネガティブ電源電圧(ＶＳＮ)領域でレールアンプに動作する第２演算増幅器を具備した第２ガンマバッファーを含むことを特徴とする請求項１に記載のソースドライバーのガンマ電圧出力回路。
【請求項４】
上位ガンマバッファー(ＧＢ＿ＶＨ６)は、ネガティブ電圧領域の範囲がポジティブ電圧領域の範囲より広い時、前記第２演算増幅器を選択するために、その第２演算増幅器の入出力端子にそれぞれ接続された第３スイッチＳＷ４３及び第４スイッチＳＷ４４を含んで構成されたことを特徴とする請求項３に記載のソースドライバーのガンマ電圧出力回路。
【請求項５】
ポジティブ電源電圧とネガティブ電源電圧の絶対値が非対称である電源電圧が供給されるソースドライバーのガンマ電圧出力回路であって、前記ソースドライバーのガンマ電圧出力回路は、
上位基準電圧(ＶＨｒｅｆ０〜ＶＨｒｅｆ５)と下位基準電圧(ＶＬｒｅｆ０〜ＶＬｒｅｆ５)を発生する基準電圧発生部と、前記上位基準電圧(ＶＨｒｅｆ０〜ＶＨｒｅｆ５)を安定化させて出力する上位ガンマバッファー(ＧＢ＿ＶＨ１〜ＧＢ＿ＶＨ６)と前記下位基準電圧(ＶＬｒｅｆ０〜ＶＬｒｅｆ５)を安定化させて出力する下位ガンマバッファー(ＧＢ＿ＶＬ１〜ＧＢ＿ＶＬ６)を含み、
前記下位ガンマバッファー(ＧＢ＿ＶＬ１〜ＧＢ＿ＶＬ６)は、ポジティブ電圧領域の第１下位基準電圧(ＶＬｒｅｆ０)の入力を受けて、ポジティブ電圧領域の第１ガンマ電圧に出力する少なくとも一つの第１ガンマバッファーを含むことを特徴とするソースドライバーのガンマ電圧出力回路。
【請求項６】
前記上位ガンマバッファー(ＧＢ＿ＶＨ１〜ＧＢ＿ＶＨ６)は、ネガティブ電圧領域の第１上位基準電圧(ＶＨｒｅｆ５)の入力を受けてネガティブ電圧領域の第２ガンマ電圧に出力する少なくとも一つの第２ガンマバッファーを含むことを特徴とする請求項５に記載のソースドライバーのガンマ電圧出力回路。
【請求項７】
前記第１ガンマバッファーと前記第２ガンマバッファーは、
前記ポジティブ電源電圧ないしネガティブ電源電圧領域に動作する演算増幅器を含むことを特徴とする請求項６に記載のソースドライバーのガンマ電圧出力回路。
【請求項８】
前記第１ガンマバッファーと第２ガンマバッファーは、
前記第１下位基準電圧の入力を受けて前記第１ガンマ電圧を出力するためにポジティブ電源電圧(ＶＳＰ)ないし接地電圧(ＧＮＤ)領域でレールアンプに動作する第１演算増幅器ＯＰ４１、
ガンマ選択バー信号(ＧＭＡ_ＳＥＬ_Ｂ)に応答して入力パッドと第１演算増幅器ＯＰ４１の非反転端子(+)の連結を断続する第１スイッチＳＷ４１、
前記ガンマ選択バー信号(ＧＭＡ_ＳＥＬ_Ｂ)に応答して出力パッドと第１演算増幅器ＯＰ４１の出力端子の連結を断続する第２スイッチＳＷ４２と、
前記第１上位基準電圧の入力を受けて前記第２ガンマ電圧を出力するために接地電圧(ＧＮＤ)ないしネガティブ電源電圧(ＶＳＮ)領域でレールアンプに動作する第２演算増幅器ＯＰ４２、
ガンマ選択信号(ＧＭＡ_ＳＥＬ)に応答して入力パッドと第２演算増幅器ＯＰ４２の非反転端子(+)の連結を断続する第３スイッチＳＷ４３及び、
前記ガンマ選択信号(ＧＭＡ_ＳＥＬ)に応答して出力パッドと第２演算増幅器ＯＰ４２の出力端子の連結を断続する第４スイッチＳＷ４４を含むことを特徴とする請求項６に記載のソースドライバーのガンマ電圧出力回路。
【請求項９】
前記ガンマ選択信号(ＧＭＡ_ＳＥＬ)は、前記入力パッドに前記第１下位基準電圧が入力されればイネーブルされて、前記入力パッドに前記第１上位基準電圧が入力されればディセーブルされて、前記ガンマ選択バー信号(ＧＭＡ_ＳＥＬ_Ｂ)と反対になる論理状態を有することを特徴とする請求項８に記載のソースドライバーのガンマ電圧出力回路。
【請求項１０】
前記第１ガンマバッファーと前記第２ガンマバッファーは、
入力パッドが連結された非反転入力端子(+)、出力端子が連結された反転入力端子(-)及び出力パッドに連結された出力端子を含む第3演算増幅器ＯＰ９１、
ガンマ選択バー信号(ＧＭＡ_ＳＥＬ_Ｂ)に応答して第3演算増幅器ＯＰ９１にポジティブ電源電圧(ＶＳＰ)と接地電圧(ＧＮＤ)供給を断続する第５スイッチＳＷ９１と第６スイッチＳＷ９２、
ガンマ選択信号(ＧＭＡ_ＳＥＬ)に応答して第3演算増幅器ＯＰ９１に接地電圧(ＧＮＤ)とネガティブ電源電圧(ＶＳＮ)供給を断続する第７スイッチＳＷ９３、第８スイッチＳＷ９４を含むことを特徴とする請求項６に記載のソースドライバーのガンマ電圧出力回路。
【請求項１１】
前記ガンマ選択信号(ＧＭＡ_ＳＥＬ)は、前記入力パッドに前記第１下位基準電圧が入力されればイネーブルされて、前記入力パッドに前記第１上位基準電圧が入力されればディセーブルされて、前記ガンマ選択バー信号(ＧＭＡ_ＳＥＬ_Ｂ)と反対になる論理状態を有することを特徴とする請求項１０に記載のソースドライバーのガンマ電圧出力回路。
【発明の詳細な説明】
【技術分野】
【０００１】
本発明は、表示装置のソースドライバーでガンマ電圧を出力する技術に関するものであり、特に、ネガティブ電源電圧がポジティブ電源電圧に非対称的な場合上位ガンマ電圧範囲と同一に下位ガンマ電圧範囲を設定して使用するようにしたソースドライバーのガンマ電圧出力回路に関するものである。
【背景技術】
【０００２】
一般に、表示装置は外部から入力されるＲ、Ｇ、Ｂデータによってディスプレイパネルのデータラインを駆動するソースドライバーを具備する。
【０００３】
図１は、従来技術によるソースドライバーのブロック図としてこれに示したところのように、従来ソースドライバーは、基準電圧発生部１１、ガンマバッファー部１２、ガンマ電圧発生部１３、上位デジタル(Ｄ)/アナログ(Ａ)変換器１４Ａ及び下位Ｄ/Ａ変換器１４Ｂ、チャンネルバッファー部１５、出力マルチプレクサー１６で構成される。
【０００４】
基準電圧発生部１１は、直列接続された抵抗(Ｒ＿ｒ)を具備して、上位電源電圧(ＶＰＬＶＬ)と下位電源電圧(ＶＮＬＶＬ)との間の差電圧を分圧して多数個の上位基準電圧(ＶＨｒｅｆ０〜ＶＨｒｅｆ５)と下位基準電圧(ＶＬｒｅｆ０〜ＶＬｒｅｆ５)を発生する。
【０００５】
ガンマバッファー部１２は、上位ガンマバッファー(ＧＢ＿ＶＨ１〜ＧＢ＿ＶＨ６)と下位ガンマバッファー(ＧＢ＿ＶＬ１〜ＧＢ＿ＶＬ６)を具備する。前記上位ガンマバッファー(ＧＢ＿ＶＨ１〜ＧＢ＿ＶＨ６)は、前記基準電圧発生部１１から出力される上位基準電圧(ＶＨｒｅｆ０〜ＶＨｒｅｆ５)を安定化させて出力して、下位ガンマバッファー(ＧＢ＿ＶＬ１〜ＧＢ＿ＶＬ６)は、下位基準電圧(ＶＬｒｅｆ０〜ＶＬｒｅｆ５)を安定化させて出力する。
【０００６】
ガンマ電圧発生部１３は、直列接続された抵抗(Ｒ＿ｓ)を具備して、前記ガンマバッファー部１２から出力される上位基準電圧(ＶＨｒｅｆ０〜ＶＨｒｅｆ５)を再び分圧して、上位ガンマ電圧(ＶＨ＿Ｇ[０]〜ＶＨ＿Ｇ[２５５])を出力すると共に、下位基準電圧(ＶＬｒｅｆ０〜ＶＬｒｅｆ５)を再び分圧して下位ガンマ電圧(ＶＬ＿Ｇ[０]〜ＶＬ＿Ｇ[２５５])を出力する。
【０００７】
上位Ｄ/Ａ変換器１４Ａと下位Ｄ/Ａ変換器１４Ｂは、制御部(例:タイミングコントローラ)から入力されるＲ、Ｇ、Ｂデータに対応して前記上位ガンマ電圧(ＶＨ＿Ｇ[０]〜ＶＨ＿Ｇ[２５５])と下位ガンマ電圧(ＶＬ＿Ｇ[０]〜ＶＬ＿Ｇ[２５５])を出力する。
【０００８】
チャンネルバッファー部１５は上位チャンネルバッファー(ＣＢ＿ＶＨ)、下位チャンネルバッファー(ＣＢ＿ＶＬ)及び仮想接地チャンネルバッファー(ＣＢ＿ＶＧ)を具備する。前記上位チャンネルバッファー(ＣＢ＿ＶＨ)は、前記上位Ｄ/Ａ変換器１４Ａから出力される前記上位ガンマ電圧(ＶＨ＿Ｇ[０]〜ＶＨ＿Ｇ[２５５])を安定化させて出力する。前記下位チャンネルバッファー(ＣＢ＿ＶＬ)は、前記下位Ｄ/Ａ変換器１４Ｂから出力される下位ガンマ電圧(ＶＬ＿Ｇ[０]〜ＶＬ＿Ｇ[２５５])を安定化させて出力する。仮想接地チャンネルバッファー(ＣＢ＿ＶＧ)は、前記ガンマ電圧発生部１３から出力される最後の番目の上位ガンマ電圧(ＶＨ＿Ｇ[２５５])と一番目の下位ガンマ電圧(ＶＬ＿Ｇ[２５５])を平均して安定化された仮想接地電圧(ＶＧ)を出力する。
【０００９】
出力マルチプレクサー１６は、前記上位チャンネルバッファー(ＣＢ＿ＶＨ)と下位チャンネルバッファー(ＣＢ＿ＶＬ)から出力される上位ガンマ電圧(ＶＨ＿Ｇ[０]〜ＶＨ＿Ｇ[２５５])と下位ガンマ電圧(ＶＬ＿Ｇ[０]〜ＶＬ＿Ｇ[２５５])を選択的に出力する。
【００１０】
図２は、前記図１のようなソースドライバーで使用されるポジティブ電源電圧(ＶＳＰ)、ネガティブ電源電圧(ＶＳＮ)、ポジティブ電圧領域(positive region)、ネガティブ電圧領域(negative region)、上位ガンマ電圧範囲(ＶＨ Gamma range)及び、下位ガンマ電圧範囲(ＶＬ Gamma range)との関係を示したものであり、ポジティブ電源電圧(ＶＳＰ)の絶対値がネガティブ電源電圧(ＶＳＮ)の絶対値より大きい場合である。
【００１１】
理想的にはポジティブ電圧領域(positive region)とネガティブ電圧領域(negative region)がお互いに対称的ではなければならない。しかし、表示装置で実際使用されるポジティブ電源電圧(ＶＳＰ)は、ネガティブ電源電圧(ＶＳＮ)より絶対値が大きいのでポジティブ電圧領域(positive region)とネガティブ電圧領域(negative region)がお互いに非対称的になる。
【００１２】
表示装置のソースドライバーに電圧を供給する電源供給部(Switch mode Power Supply)は、ポジティブ電源電圧(ＶＳＰ)を生成して、反転電荷ポンプ回路(negative charge pumping circuit)を利用して、ポジティブ電源電圧(ＶＳＰ)をネガティブ電源電圧(ＶＳＮ)で生成する。
【００１３】
それで、ソースドライバーに供給されるポジティブ電源電圧(ＶＳＰ)は、ネガティブ電源電圧(ＶＳＮ)より大きい絶対値を有するようになって、接地電圧(ＧＮＤ)を基準にお互いに非対称的なポジティブ電源電圧(ＶＳＰ)とネガティブ電源電圧(ＶＳＮ)がソースドライバーに供給される。
【００１４】
これによって、図２でのように接地電圧(ＧＮＤ)が下位ガンマ電圧範囲(ＶＬ Gamma range)の上端に位置するようになって、ポジティブ電圧領域(positive region)が上位ガンマ電圧範囲(ＶＨ Gamma range)すべてと下位ガンマ電圧範囲(ＶＬ Gamma range)の一部まで占めるようになる。
【００１５】
前記のような場合に、下位ガンマ電圧(ＶＬ＿Ｇ[２５５])を出力する一番目の下位ガンマバッファー(ＧＢ＿ＶＬ１)の入力端にポジティブ電圧領域(positive region)に属する下位基準電圧(ＶＬｒｅｆ０)が入力される。仮想接地チャンネルバッファー(ＣＢ＿ＶＧ)は、ポジティブ電圧領域(positive region)に属する上位基準電圧(ＶＨｒｅｆ５)とポジティブ電圧領域に属する下位基準電圧(ＶＬｒｅｆ０)を平均して、ポジティブ領域に属する仮想接地電圧(ＶＧ)を生成するようになる。
【００１６】
下位ガンマ電圧範囲(ＶＬ Gamma range)上端は、仮想接地電圧(ＶＧ)と接地電圧(ＧＮＤ)との間に位置するようになるので、下位ガンマ電圧範囲(ＶＬ Gamma range)上端の下位ガンマ電圧、例えば、一番目の下位ガンマ電圧(ＶＬ＿Ｇ[２５５])はポジティブ電圧領域に属するガンマ電圧ではなければならない。ところで、従来下位ガンマバッファー(ＧＢ＿ＶＬ１〜ＧＢ＿ＶＬ６)は、接地電圧(ＧＮＤ)とネガティブ電源電圧(ＶＳＮ)を利用して、下位ガンマ電圧(ＶＬ＿Ｇ[０]〜ＶＬ＿Ｇ[２５５])を出力するので、ポジティブ電圧領域に属するガンマ電圧を出力することができない。それで、上位ガンマ電圧範囲と下位ガンマ電圧範囲をお互いに対称になるように設定するようになれば使用することができるガンマ電圧範囲が細くなるようになる。
【００１７】
前記のような問題点は、図３に示されたところのようにポジティブ電源電圧(ＶＳＰ)の絶対値がネガティブ電源電圧(ＶＳＮ)の絶対値より小さな場合にも類似に発生する可能性がある。図３を参照すれば、上位ガンマ電圧範囲(ＶＨ Gamma range)下端が仮想接地電圧(ＶＧ)と接地電圧(ＧＮＤ)との間に位置するようになるので、上位ガンマ電圧範囲(ＶＨ Gamma range)下端の上位ガンマ電圧、例えば、最後の番目の上位ガンマ電圧(ＶＨ＿Ｇ[２５５])がネガティブ電圧領域に属するガンマ電圧ではなければならない。従来、上位ガンマバッファー(ＧＢ＿ＶＨ１〜ＧＢ＿ＶＨ６)は、接地電圧(ＧＮＤ)とポジティブ電源電圧(ＶＳＰ)を利用して、上位ガンマ電圧(ＶＨ＿Ｇ[０]〜ＶＨ＿Ｇ[２５５])を出力するので、ネガティブ電圧領域に属するガンマ電圧を出力することができない。
【００１８】
それで、上位ガンマ電圧範囲と下位ガンマ電圧範囲を対称になるように設定するようになれば、使用することができるガンマ電圧範囲が細くなるようになる問題点が発生されることがある。
【先行技術文献】
【特許文献】
【００１９】
【特許文献１】特開２００７−５２１０３号公報。
【発明の概要】
【発明が解決しようとする課題】
【００２０】
したがって、本発明の目的は、表示装置のソースドライバーでポジティブ電源電圧とネガティブ電源電圧が非対称的な場合、上位ガンマ電圧範囲と下位ガンマ電圧範囲との境界領域に位置したガンマバッファーにポジティブ電源電圧と接地電圧に動作するガンマバッファーと、または接地電圧とネガティブ電源電圧に動作するガンマバッファーを具備して、選択的に動作するガンマ電圧出力回路を提供することにある。
【００２１】
本発明の目的は、前で言及した目的に制限されない。本発明の他の目的及び長所らは下の説明によってさらに明らかに理解されるであろう。
【課題を解決するための手段】
【００２２】
前記のような目的を達成するための本発明は、上位電源電圧と下位電源電圧との間の差電圧を直列抵抗に分圧して上位基準電圧(ＶＨｒｅｆ０〜ＶＨｒｅｆ５)と下位基準電圧(ＶＬｒｅｆ０〜ＶＬｒｅｆ５)を発生する基準電圧発生部と、前記上位基準電圧(ＶＨｒｅｆ０〜ＶＨｒｅｆ５)を安定化させて出力する上位ガンマバッファー(ＧＢ＿ＶＨ１〜ＧＢ＿ＶＨ６)と前記下位基準電圧(ＶＬｒｅｆ０〜ＶＬｒｅｆ５)を安定化させて出力する下位ガンマバッファー(ＧＢ＿ＶＬ１〜ＧＢ＿ＶＬ６)を含むが、前記下位ガンマバッファー(ＧＢ＿ＶＬ１〜ＧＢ＿ＶＬ６)はポジティブ電圧領域の第１下位基準電圧(ＶＬｒｅｆ０)の入力を受けてポジティブ電圧領域の第１ガンマ電圧に出力するためにポジティブ電源電圧(ＶＳＰ)ないし接地電圧(ＧＮＤ)領域からレールアンプに動作する第１演算増幅器を具備した第１ガンマバッファーを含んで、前記上位ガンマバッファー(ＧＢ＿ＶＨ１〜ＧＢ＿ＶＨ６)はネガティブ電圧領域の第１上位基準電圧(ＶＨｒｅｆ５)の入力を受けてネガティブ電圧領域の第２ガンマ電圧に出力するために接地電圧(ＧＮＤ)ないしネガティブ電源電圧(ＶＳＮ)領域でレールアンプに動作する第２演算増幅器を具備した第２ガンマバッファーを含む。
【００２３】
前記のような目的を達成するための他の本発明は、ポジティブ電源電圧とネガティブ電源電圧の絶対値が非対称である電源電圧が供給されるソースドライバーのガンマ電圧出力回路として、上位基準電圧(ＶＨｒｅｆ０〜ＶＨｒｅｆ５)と下位基準電圧(ＶＬｒｅｆ０〜ＶＬｒｅｆ５)を発生する基準電圧発生部と、前記上位基準電圧(ＶＨｒｅｆ０〜ＶＨｒｅｆ５)を安定化させて出力する上位ガンマバッファー(ＧＢ＿ＶＨ１〜ＧＢ＿ＶＨ６)と前記下位基準電圧(ＶＬｒｅｆ０〜ＶＬｒｅｆ５)を安定化させて出力する下位ガンマバッファー(ＧＢ＿ＶＬ１〜ＧＢ＿ＶＬ６)を含むが、前記下位ガンマバッファー(ＧＢ＿ＶＬ１〜ＧＢ＿ＶＬ６)は、ポジティブ電圧領域の第１下位基準電圧(ＶＬｒｅｆ０)の入力を受けて、ポジティブ電圧領域の第１ガンマ電圧に出力する少なくとも一つの第１ガンマバッファーを含んで、前記上位ガンマバッファー(ＧＢ＿ＶＨ１〜ＧＢ＿ＶＨ６)は、ネガティブ電圧領域の第１上位基準電圧(ＶＨｒｅｆ５)の入力を受けて、ネガティブ電圧領域の第２ガンマ電圧に出力する少なくとも一つの第２ガンマバッファーを含む。
【発明の効果】
【００２４】
本発明は、ネガティブ電源電圧とポジティブ電源電圧の絶対値が非対称である場合、上位ガンマ電圧範囲と下位ガンマ電圧範囲の境界範囲に接して動作するガンマバッファーがポジティブ電源電圧(ＶＳＰ)ないしネガティブ電源電圧(ＶＳＮ)領域に動作するようにすることで、下位ガンマ電圧範囲を上位ガンマ電圧範囲と対称的に設定する時ガンマ電圧範囲を広く使用することができる効果がある。
【図面の簡単な説明】
【００２５】
【図１】従来技術によるソースドライバーのブロック図である。
【図２】ポジティブ電源電圧(ＶＳＰ)の絶対値がネガティブ電源電圧(ＶＳＮ)の大きい値より大きい場合ソースドライバーで使用される多くの電圧の範囲との関係を示した説明図である。
【図３】ポジティブ電源電圧(ＶＳＰ)の絶対値がネガティブ電源電圧(ＶＳＮ)の絶対値より小さな場合ソースドライバーで使用される多くの電圧の範囲との関係を示した説明図である。
【図４】本発明の一実施例によるソースドライバーのガンマ電圧出力回路のブロック図である。
【図５】本発明の他の実施例に他のソースドライバーのガンマ電圧出力回路のブロック図である。
【図６】図４の第１下位ガンマバッファーと図５の第６上位ガンマバッファーの実施例である。
【図７】図４の第１下位ガンマバッファーと図５の第６上位ガンマバッファーの他の実施例である。
【図８】図４の第１下位ガンマバッファーと図５の第６上位ガンマバッファーのまた他の実施例である。
【発明を実施するための形態】
【００２６】
以下、添付した図面を参照して本発明の望ましい実施例を詳しく説明する。本発明の望ましい実施例を説明する過程で使用される数字、例えば、第１、第２などは一つの個体を他の個体と区分するための識別記号に過ぎない。
【００２７】
図４は、本発明の一実施例によるソースドライバーのガンマ電圧出力回路のブロック図である。
【００２８】
図４に示したところのように、本発明の一実施例によるソースドライバーのガンマ電圧出力回路は、基準電圧発生部３１、ガンマバッファー部３２、ガンマ電圧発生部３３、上位デジタル(Ｄ)/アナログ(Ａ)変換器３４Ａ及び下位Ｄ/Ａ変換器３４Ｂ、チャンネルバッファー部３５、出力マルチプレクサー３６を含む。
【００２９】
前記基準電圧発生部３１は、直列接続された抵抗(Ｒ＿ｒ)を具備して、上位電源電圧(ＶＰＬＶＬ)と下位電源電圧(ＶＮＬＶＬ)との間の差電圧を分圧して、第１ないし第６上位基準電圧(ＶＨｒｅｆ０〜ＶＨｒｅｆ５)と第１ないし第６下位基準電圧(ＶＬｒｅｆ０〜ＶＬｒｅｆ５)を発生する。上位電源電圧(ＶＰＬＶＬ)は直列接続された抵抗(Ｒ＿ｒ)に印加される最上位電圧としてポジティブ電源電圧(ＶＳＰ)でノイズをとり除いた安定した電圧である。下位電源電圧(ＶＮＬＶＬ)は、直列接続された抵抗(Ｒ＿ｒ)に印加される最下位電圧としてネガティブ電源電圧(ＶＳＮ)でノイズをとり除いた安定した電圧である。
【００３０】
前記ガンマバッファー部３２は、第１ないし第６上位ガンマバッファー(ＧＢ＿ＶＨ１〜ＧＢ＿ＶＨ６)と第１ないし第６下位ガンマバッファー(ＧＢ＿ＶＬ１〜ＧＢ＿ＶＬ６)を含む。第１ないし第６上位ガンマバッファー(ＧＢ＿ＶＨ１〜ＧＢ＿ＶＨ６)は、基準電圧発生部３１から出力される第１ないし第６上位基準電圧(ＶＨｒｅｆ０〜ＶＨｒｅｆ５)をそれぞれ安定化させて出力する。第１ないし第６下位ガンマバッファー(ＧＢ＿ＶＬ１〜ＧＢ＿ＶＬ６)は、第１ないし第６下位基準電圧(ＶＬｒｅｆ０〜ＶＬｒｅｆ５)をそれぞれ安定化させて出力する。
【００３１】
第１ないし第６上位ガンマバッファー(ＧＢ＿ＶＨ１〜ＧＢ＿ＶＨ６)は、ポジティブ電源電圧(ＶＳＰ)ないし接地電圧(ＧＮＤ)領域でレールアンプ(rail amplifier)に動作して、第２ないし第６下位ガンマバッファー(ＧＢ＿ＶＬ２〜ＧＢ＿ＶＬ６)は、接地電圧(ＧＮＤ)ないしネガティブ電源電圧(ＶＳＮ)領域でレールアンプに動作する。第１下位ガンマバッファー(ＧＢ＿ＶＬ１)は、ポジティブ電源電圧(ＶＳＰ)ないしネガティブ電源電圧(ＶＳＮ)領域でレールアンプに動作することができる。本実施例で第１下位ガンマバッファー(ＧＢ＿ＶＬ１)は、下位ガンマバッファー(ＧＢ＿ＶＬ１〜ＧＢ＿ＶＬ６)のうち最上位電圧を出力する一番目の下位ガンマバッファーとして、上位ガンマ電圧範囲と下位ガンマ電圧範囲の境界領域に接して動作するガンマバッファーを例示する。
【００３２】
前記ガンマ電圧発生部３３は、直列接続された抵抗(Ｒ＿ｓ)を具備して、ガンマバッファー部３２から出力される第１ないし第６上位基準電圧(ＶＨｒｅｆ０〜ＶＨｒｅｆ５)を再び分圧して第１ないし第２５６上位ガンマ電圧(ＶＨ＿Ｇ[０]〜ＶＨ＿Ｇ[２５５])を出力して、第１ないし第６下位基準電圧(ＶＬｒｅｆ０〜ＶＬｒｅｆ５)を再び分圧して、第１ないし第２５６下位ガンマ電圧(ＶＬ＿Ｇ[０]〜ＶＬ＿Ｇ[２５５])を出力する。
【００３３】
前記上位Ｄ/Ａ変換器３４Ａは、制御部から入力されるＲ、Ｇ、Ｂデータに対応して、第１ないし第２５６上位ガンマ電圧(ＶＨ＿Ｇ[０]〜ＶＨ＿Ｇ[２５５])を出力する。前記下位Ｄ/Ａ変換器３４Ｂは、制御部から入力されるＲ、Ｇ、Ｂデータに対応して第１ないし第２５６下位ガンマ電圧(ＶＬ＿Ｇ[２５５]〜ＶＬ＿Ｇ[０])を出力する。
【００３４】
前記チャンネルバッファー部３５は、上位チャンネルバッファー(ＣＢ＿ＶＨ)、下位チャンネルバッファー(ＣＢ＿ＶＬ)及び仮想接地チャンネルバッファー(ＣＢ＿ＶＧ)を含む。上位チャンネルバッファー(ＣＢ＿ＶＨ)は、上位Ｄ/Ａ変換器３４Ａから出力される第１ないし第２５６上位ガンマ電圧(ＶＨ＿Ｇ[０]〜ＶＨ＿Ｇ[２５５])を安定化させて出力する。下位チャンネルバッファー(ＣＢ＿ＶＬ)は下位Ｄ/Ａ変換器３４Ｂから出力される第１ないし第２５６下位ガンマ電圧(ＶＬ＿Ｇ[２５５]〜ＶＬ＿Ｇ[０])を安定化させて出力する。
【００３５】
仮想接地チャンネルバッファー(ＣＢ＿ＶＧ)は、ガンマ電圧発生部３３から出力される第２５６上位ガンマ電圧(ＶＨ＿Ｇ[２５５])と第１下位ガンマ電圧(ＶＬ＿Ｇ[２５５])を平均して安定化された仮想接地電圧(ＶＧ)を出力する。上位ガンマ電圧範囲と下位ガンマ電圧範囲は、仮想接地電圧(ＶＧ)を基準にお互いに対称になるように決まることができる。本実施例で第２５６上位ガンマ電圧(ＶＨ＿Ｇ[２５５])は最後の番目の上位ガンマ電圧を例示して、第１下位ガンマ電圧(ＶＬ＿Ｇ[２５５])は一番目の下位ガンマ電圧を例示する。
【００３６】
前記出力マルチプレクサー３６は、上位チャンネルバッファー(ＣＢ＿ＶＨ)と下位チャンネルバッファー(ＣＢ＿ＶＬ)から出力される第１ないし第２５６上位ガンマ電圧(ＶＨ＿Ｇ[０]〜ＶＨ＿Ｇ[２５５])と第１ないし第２５６下位ガンマ電圧(ＶＬ＿Ｇ[２５５]〜ＶＬ＿Ｇ[０])を選択的に出力する。
【００３７】
図５は、本発明の他の実施例によるソースドライバーのガンマ電圧出力回路のブロック図である。
【００３８】
図５を参照すれば、本発明の他の実施例によるソースドライバーのガンマ電圧出力回路は、基準電圧発生部７１、ガンマバッファー部７２、ガンマ電圧発生部７３、上位デジタル/アナログ変換器７４Ａ及び下位Ｄ/Ａ変換器７４Ｂ、チャンネルバッファー部７５、出力マルチプレクサー７６を含む。
【００３９】
前記ガンマバッファー部７２は、第１ないし第６上位ガンマバッファー(ＧＢ＿ＶＨ１〜ＧＢ＿ＶＨ６)と第１ないし第６下位ガンマバッファー(ＧＢ＿ＶＬ１〜ＧＢ＿ＶＬ６)を含む。第１ないし第５上位ガンマバッファー(ＧＢ＿ＶＨ１〜ＧＢ＿ＶＨ５)は、ポジティブ電源電圧(ＶＳＰ)ないし接地電圧(ＧＮＤ)領域でレールアンプ(rail amplifier)に動作して、第１ないし第６下位ガンマバッファー(ＧＢ＿ＶＬ１〜ＧＢ＿ＶＬ６)は接地電圧(ＧＮＤ)ないしネガティブ電源電圧(ＶＳＮ)領域でレールアンプに動作する。第６上位ガンマバッファー(ＧＢ＿ＶＨ６)は、ポジティブ電源電圧(ＶＳＰ)ないしネガティブ電源電圧(ＶＳＮ)領域でレールアンプに動作することができる。本実施例で第６上位ガンマバッファー(ＧＢ＿ＶＨ６)は、上位ガンマバッファー(ＧＢ＿ＶＨ１〜ＧＢ＿ＶＨ６)のうち最下位電圧を出力する最後の番目の上位ガンマバッファーとして、上位ガンマ電圧範囲と下位ガンマ電圧範囲の境界領域に接して動作するガンマバッファーを例示する。
【００４０】
その他基準電圧発生部７１、ガンマ電圧発生部７３、上位デジタル/アナログ変換器７４Ａ及び下位Ｄ/Ａ変換器７４Ｂ、チャンネルバッファー部７５、出力マルチプレクサー７６などの構成及び動作は、図４のソースドライバーのガンマ電圧出力回路の説明から当業者が容易に理解することができるものであるので、詳細な説明は略する。
【００４１】
図６は、図４の第１下位ガンマバッファーと図５の第６上位ガンマバッファーの実施例である。
【００４２】
図６を参照すれば、図４の第１下位ガンマバッファー(ＧＢ＿ＶＬ１)はポジティブ電源電圧(ＶＳＰ)ないしネガティブ電源電圧(ＶＳＮ)領域に動作するレールアンプとして、ポジティブ電源電圧(ＶＳＰ)とネガティブ電源電圧(ＶＳＮ)を、電源電圧として供給を受けて、第１下位基準電圧(ＶＬｒｅｆ０)の入力を受ける非反転入力端子(＋)、出力端子に連結される反転入力端子(-)、及びガンマ電圧発生部３３の直列連結された抵抗(Ｒ＿ｓ)のうち該当支点に第１下位ガンマ電圧(ＶＬ＿Ｇ[２５５])を出力する出力端子を含む演算増幅器であることができる。
【００４３】
ポジティブ電源電圧(ＶＳＰ)の絶対値がネガティブ電源電圧(ＶＳＮ)の絶対値より大きい場合、第１下位ガンマバッファー(ＧＢ＿ＶＬ１)の入力端にポジティブ電圧領域(positive region)に属する下位基準電圧(ＶＬｒｅｆ０)が入力される。第１下位ガンマバッファー(ＧＢ＿ＶＬ１)はポジティブ電源電圧(ＶＳＰ)〜ネガティブ電源電圧(ＶＳＮ)領域に動作するレールアンプであるので、ポジティブ電圧領域(positive region)に属する下位基準電圧(ＶＬｒｅｆ０)が入力されても、これをバッファリングしてポジティブ電圧領域に属するガンマ電圧を出力することができる。
【００４４】
図６を参照すれば、図５の第６上位ガンマバッファー(ＧＢ＿ＶＨ６)はポジティブ電源電圧(ＶＳＰ)〜ネガティブ電源電圧(ＶＳＮ)レールアンプとして、ポジティブ電源電圧(ＶＳＰ)とネガティブ電源電圧(ＶＳＮ)を電源電圧として供給を受けて、第６上位基準電圧(ＶＨｒｅｆ５)の入力を受ける非反転端子(+)、出力端子に連結される反転端子(-)、及びガンマ電圧発生部３３の直列連結された抵抗(Ｒ＿ｓ)のうち該当支点に第２５６上位ガンマ電圧(ＶＨ＿Ｇ[２５５])を出力する出力端子を含む演算増幅器であることができる。
【００４５】
ポジティブ電源電圧(ＶＳＰ)の絶対値がネガティブ電源電圧(ＶＳＮ)の絶対値より小さな場合、第６下位ガンマバッファー(ＧＢ＿ＶＨ６)の入力パッドにネガティブ電圧領域(negative region)に属する上位基準電圧(ＶＨｒｅｆ５)が入力される。第６上位ガンマバッファー(ＧＢ＿ＶＨ６)は、ポジティブ電源電圧(ＶＳＰ)ないしネガティブ電源電圧(ＶＳＮ)領域に動作するレールアンプであるので、ネガティブ電圧領域(negative region)に属する上位基準電圧(ＶＨｒｅｆ５)が入力されても、これをバッファリングしてネガティブ電圧領域に属するガンマ電圧を出力することができる。
【００４６】
図７は、図４の第１下位ガンマバッファーと図５の第６上位ガンマバッファーの他の実施例である。
【００４７】
図７に示されたところのように、第１下位ガンマバッファー(ＧＢ＿ＶＬ１)と第６上位ガンマバッファー(ＧＢ＿ＶＨ６)は、ポジティブ電圧領域の下位基準電圧(ＶＬｒｅｆ０)の入力を受けて、ポジティブ電圧領域のガンマ電圧(ＶＬ＿Ｇ[２５５])を出力するためにポジティブ電源電圧(ＶＳＰ)ないし接地電圧(ＧＮＤ)領域でレールアンプに動作する第１演算増幅器ＯＰ４１、ガンマ選択バー信号(ＧＭＡ_ＳＥＬ_Ｂ)に応答して入力パッドと第１演算増幅器ＯＰ４１の非反転端子(+)の連結を断続する第１スイッチＳＷ４１、ガンマ選択バー信号(ＧＭＡ_ＳＥＬ_Ｂ)に応答して、出力パッドと第１演算増幅器ＯＰ４１の出力端子の連結を断続する第２スイッチＳＷ４２と、ネガティブ電圧領域の上位基準電圧(ＶＨｒｅｆ５)の入力を受けて、ネガティブ電圧領域のガンマ電圧(ＶＨ＿Ｇ[２５５])を出力するために接地電圧(ＧＮＤ)ないしネガティブ電源電圧(ＶＳＮ)領域でレールアンプに動作する第２演算増幅器ＯＰ４２、ガンマ選択信号(ＧＭＡ_ＳＥＬ)に応答して入力パッドと第２演算増幅器ＯＰ４２の非反転端子(+)の連結を断続する第３スイッチＳＷ４３及び、ガンマ選択信号(ＧＭＡ_ＳＥＬ)に応答して出力パッドと第２演算増幅器ＯＰ４２の出力端子の連結を断続する第４スイッチＳＷ４４を含む。第１演算増幅器ＯＰ４１及び第２演算増幅器ＯＰ４２は出力端子が反転入力端子(-)に連結された形態の演算増幅器であることが望ましい。
【００４８】
ガンマ選択信号(ＧＭＡ_ＳＥＬ)は、図４の第１下位ガンマバッファー(ＧＢ＿ＶＬ１)と図５の第６上位ガンマバッファー(ＧＢ＿ＶＨ６)に入力される電圧の極性によって論理状態が変更される信号として、図４の第１下位ガンマバッファー(ＧＢ＿ＶＬ１)と図５の第６上位ガンマバッファー(ＧＢ＿ＶＨ６)に入力される基準電圧がポジティブ電源電圧(ＶＳＰ)ないし接地電圧(ＧＮＤ)のポジティブ電圧領域基準電圧なら、‘ロー’にディセーブルされて、接地電圧(ＧＮＤ)ないしネガティブ電源電圧(ＶＳＮ)のネガティブ電圧領域基準電圧なら、‘ハイ’にイネーブルされる。ガンマ選択バー信号(ＧＭＡ_ＳＥＬ_Ｂ)はガンマ選択信号(ＧＭＡ_ＳＥＬ)と反対になる論理状態を有した信号である。
【００４９】
例えば、ポジティブ電源電圧(ＶＳＰ)の絶対値がネガティブ電源電圧(ＶＳＮ)の絶対値より大きければ(|ＶＳＰ|>|ＶＳＮ|)、第１下位ガンマバッファー(ＧＢ＿ＶＬ１)の入力パッドには接地電圧(ＧＮＤ)以上、すなわちポジティブ電圧領域に属する第１下位基準電圧(ＶＬｒｅｆ０)が入力されることができる。
【００５０】
この時、制御部は‘ハイ’のガンマ選択バー信号(ＧＭＡ_ＳＥＬ_Ｂ)を出力して、第１スイッチＳＷ４１及び第２スイッチＳＷ４２をターンオンさせて、‘ロー’のガンマ選択信号(ＧＭＡ_ＳＥＬ)を出力して第３スイッチＳＷ４３及び第４スイッチＳＷ４４をターンオフさせる。これによって、第１下位ガンマバッファー(ＧＢ＿ＶＬ１)の第１演算増幅器ＯＰ４１はポジティブ電圧領域の第１下位基準電圧(ＶＬｒｅｆ０)の入力を受けて安定化させて、一番目の下位ガンマ電圧(ＶＬ＿Ｇ[２５５])に出力する。
【００５１】
ポジティブ電源電圧(ＶＳＰ)の絶対値がネガティブ電源電圧(ＶＳＮ)の絶対値より小さければ(|ＶＳＰ|<|ＶＳＮ|)、第６上位ガンマバッファー(ＧＢ＿ＶＨ６)の入力端には接地電圧(ＧＮＤ)以下、すなわちネガティブ電圧領域に属する第６上位基準電圧(ＶＨｒｅｆ５)が入力されることができる。
【００５２】
この時、制御部は‘ハイ’のガンマ選択信号(ＧＭＡ_ＳＥＬ)を出力して第１スイッチＳＷ４１及び第２スイッチＳＷ４２をターンオフさせて、‘ロー’のガンマ選択バー信号(ＧＭＡ_ＳＥＬ_Ｂ)を出力して第３スイッチＳＷ４３及び第４スイッチＳＷ４４をターンオンさせる。これによって、第６上位ガンマバッファー(ＧＢ＿ＶＨ６)の第２演算増幅器ＯＰ４２は、ネガティブ電圧領域の第６上位基準電圧(ＶＨｒｅｆ５)の入力を受けて安定化させて、最後の番目の上位ガンマ電圧(ＶＨ＿Ｇ[２５５])に出力する。
【００５３】
本実施例によれば、ポジティブ電源電圧(ＶＳＰ)の絶対値がネガティブ電源電圧(ＶＳＮ)の絶対値に非対称である場合((|ＶＳＰ|>|ＶＳＮ|または|ＶＳＰ|<|ＶＳＮ|)、上位ガンマ電圧範囲と下位ガンマ電圧範囲の境界領域に接して動作するガンマバッファー、例えば、第６上位ガンマバッファー(ＧＢ＿ＶＨ６)と第１下位ガンマバッファー(ＧＢ＿ＶＬ１)をガンマ選択信号によってポジティブ電源電圧(ＶＳＰ)ないし接地電圧(ＧＮＤ)または接地電圧(ＧＮＤ)ないしネガティブ電源電圧(ＶＳＮ)領域で選択的に動作するようにすることで、下位ガンマ電圧範囲(ＶＬ Gamma range)と上位ガンマ電圧範囲(ＶＨ Gamma range)を対称的に設定する時ガンマ電圧範囲を広く使用することができる。
【００５４】
図８は、図４の第１下位ガンマバッファーと図５の第６上位ガンマバッファーのまた他の実施例である。
【００５５】
図８に示されたところのように、第１下位ガンマバッファー(ＧＢ＿ＶＬ１)と第６上位ガンマバッファー(ＧＢ＿ＶＨ６)は、入力パッドが連結された非反転入力端子(+)、出力端子が連結された反転入力端子(-)及び出力パッドに連結された出力端子を含む第３演算増幅器ＯＰ９１、ガンマ選択バー信号(ＧＭＡ_ＳＥＬ_Ｂ)に応答して第３演算増幅器ＯＰ９１にポジティブ電源電圧(ＶＳＰ)と接地電圧(ＧＮＤ)供給を断続する第５スイッチＳＷ９１と第６スイッチＳＷ９２、ガンマ選択信号(ＧＭＡ_ＳＥＬ)に応答して第３演算増幅器ＯＰ９１に接地電圧(ＧＮＤ)とネガティブ電源電圧(ＶＳＮ)供給を断続する第７スイッチＳＷ９３、第８スイッチＳＷ９４を含む。
【００５６】
ポジティブ電源電圧(ＶＳＰ)の絶対値がネガティブ電源電圧(ＶＳＮ)の絶対値より大きければ(|ＶＳＰ|>|ＶＳＮ|)、第１下位ガンマバッファー(ＧＢ＿ＶＬ１)の入力パッドには接地電圧(ＧＮＤ)以上、すなわちポジティブ電圧領域に属する第１下位基準電圧(ＶＬｒｅｆ０)が入力されることができる。
【００５７】
この時、制御部は‘ハイ’のガンマ選択バー信号(ＧＭＡ_ＳＥＬ_Ｂ)を出力して第５スイッチＳＷ９１及び第７スイッチＳＷ９３をターンオンさせて、‘ロー’のガンマ選択信号(ＧＭＡ_ＳＥＬ)を出力して、第６スイッチＳＷ９２及び第８スイッチＳＷ９４をターンオフさせる。よって、第１下位ガンマバッファー(ＧＢ＿ＶＬ１)の第３演算増幅器ＯＰ９１に第５スイッチＳＷ９１及び第７スイッチＳＷ９３を通じてポジティブ電源電圧(ＶＳＰ)と接地電圧(ＧＮＤ)が電源電圧に供給される。これによって、第１下位ガンマバッファー(ＧＢ＿ＶＬ１)の第３演算増幅器ＯＰ９１はポジティブ電圧領域の第１下位基準電圧(ＶＬｒｅｆ０)の入力を受けて安定化させて、一番目の下位ガンマ電圧(ＶＬ＿Ｇ[２５５])に出力することができるようになる。
【００５８】
ポジティブ電源電圧(ＶＳＰ)の絶対値がネガティブ電源電圧(ＶＳＮ)の絶対値より小さければ(|ＶＳＰ|<|ＶＳＮ|)、第６上位ガンマバッファー(ＧＢ＿ＶＨ６)の入力パッドには接地電圧(ＧＮＤ)以下、すなわちネガティブ電圧領域の第６上位基準電圧(ＶＨｒｅｆ５)が入力される。
【００５９】
この時、制御部は‘ハイ’のガンマ選択信号(ＧＭＡ_ＳＥＬ)を出力して第５スイッチＳＷ９１及び第７スイッチＳＷ９３をターンオフさせて、‘ロー’のガンマ選択バー信号(ＧＭＡ_ＳＥＬ_Ｂ)を出力して第６スイッチＳＷ９２及び第８スイッチＳＷ９４をターンオンさせる。よって、第６上位ガンマバッファー(ＧＢ＿ＶＨ６)の第３演算増幅器ＯＰ９１に第６スイッチＳＷ９２及び第８スイッチＳＷ９４を通じて接地電圧(ＧＮＤ)とネガティブ電源電圧(ＶＳＮ)が電源電圧に供給される。これによって、第６上位ガンマバッファー(ＧＢ＿ＨＬ６)の第３演算増幅器ＯＰ９１はネガティブ電圧領域の第６上位基準電圧(ＶＨｒｅｆ６)の入力を受けて安定化させて、最後の番目の上位ガンマ電圧(ＶＨＬ＿Ｇ[２５５])に出力することができるようになる。
【００６０】
本実施例で、ポジティブ電源電圧(ＶＳＰ)の絶対値がネガティブ電源電圧(ＶＳＮ)の絶対値に非対称である場合((|ＶＳＰ|>|ＶＳＮ|または|ＶＳＰ|<|ＶＳＮ|)、上位ガンマ電圧範囲と下位ガンマ電圧範囲の境界領域に接して動作するガンマバッファーで、第６上位ガンマバッファー(ＧＢ＿ＶＨ６)と第１下位ガンマバッファー(ＧＢ＿ＶＬ１)を例示して説明したが、ガンマ選択信号によってポジティブ電源電圧(ＶＳＰ)ないし接地電圧(ＧＮＤ)または接地電圧(ＧＮＤ)ないしネガティブ電源電圧(ＶＳＮ)領域で選択的に動作するガンマバッファーはこれに限定されなくて、例えば、第５上位ガンマバッファー(ＧＢ＿ＶＨ５)と第２下位ガンマバッファー(ＧＢ＿ＶＬ２)などで拡大されて適用されることができる。
【００６１】
本実施例によるソースドライバーのガンマ電圧出力回路は、下位ガンマ電圧範囲(ＶＬ Gamma range)と上位ガンマ電圧範囲(ＶＨ Gamma range)を対称的に設定する時ガンマ電圧範囲を広く使用することができるので、広いガンマ電圧範囲を要求する水平電極スイッチング(ＩＰＳ；in-plane switching)方式または垂直配向モード(ＶＡ；vertical alignment)方式など液晶表示パネルに使用されることができる。しかし、本実施例によるソースドライバーのガンマ電圧出力回路は液晶表示パネルに限定されなくて、有機発光ダイオード(ＯＬＥＤ；Organic Light Emitting Diodes)など他の平板パネル表示装置(ＦＰＤ；Flat Panel Display)に適用されることもできる。
【００６２】
以上で本発明の望ましい実施例に対して詳しく説明したが、本発明の権利範囲がこれに限定されるものではなく、特許請求の範囲で定義する本発明の基本概念を土台により多様な実施例に具現されることができるし、このような実施例も本発明の権利範囲に属するものである。
【符号の説明】
【００６３】
３１  基準電圧発生部
３２  ガンマバッファー部
３３  ガンマ電圧発生部
３４Ａ  上位Ｄ/Ａ変換器
３４Ｂ  下位Ｄ/Ａ変換器
３５  チャンネルバッファー部
３６  出力マルチプレクサー
【図１】
2011150341.tif 000003
【図２】
2011150341.tif 000004
【図３】
2011150341.tif 000005
【図４】
2011150341.tif 000006
【図５】
2011150341.tif 000007
【図６】
2011150341.tif 000008
【図７】
2011150341.tif 000009
【図８】
2011150341.tif 000010